(57)【要約】【課題】  貼替え防止ラベルをあらかじめチャック付袋に組み合わせて商品化することにより、チャック付袋と貼替え防止テープを別々に買い揃えるといった手間をなくし、また、テープではなく、予め所定の長さに形成したラベルにすることで、１巻分を購入する場合に比べて費用負担を軽減させ、かつ使用に際しての切断作業を省略できるようにしたチャック付袋の提供。【解決手段】  開口部２１に雌雄咬合型のチャック２０が設けられている合成樹脂製袋体２と、この合成樹脂製袋体に収容された貼替え防止ラベル３との組み合わせで形成されている。貼替え防止ラベルが、その展延状態で合成樹脂製袋体の内部に納まる長さに形成されている。【選択図】  図１
2007261668.tif 000002
【特許請求の範囲】
【請求項１】
開口部に雌雄咬合型のチャックが設けられている合成樹脂製袋体と、この合成樹脂製袋体に収容された貼替え防止ラベルとの組み合わせで形成され、
前記貼替え防止ラベルが、その展延状態で合成樹脂製袋体の内部に納まる長さに形成されていることを特徴とするチャック付袋。
【請求項２】
前記雌雄咬合型のチャックに開閉用スライダーが設けられている請求項１記載のチャック付袋。
【請求項３】
合成樹脂製袋体の内部に緩衝シート材が収容されている請求項１又は２記載のチャック付袋。
【請求項４】
合成樹脂製袋体の内部に板紙が収容されている請求項１又は２記載のチャック付袋。
【請求項５】
請求項３又は４記載のチャック付袋において、前記緩衝シート材又は板紙が帯電防止処理されているチャック付袋。
【請求項６】
請求項３又は４又は５記載のチャック付袋において、合成樹脂製袋体の底縁全幅に亘って形成した底口から前記緩衝シート材又は板紙を収容した状態で、前記底口が溶着シールによって閉鎖されているチャック付袋。
【発明の詳細な説明】
【技術分野】
【０００１】
本発明は、合成樹脂製袋体の開口部に雌雄咬合型のチャックが設けられているチャック付袋であって、貼替え防止ラベルとの組み合わせ商品としたチャック付袋に関する。
【背景技術】
【０００２】
従来、合成樹脂製袋体の開口部に雌雄咬合型のチャックが設けられているチャック付袋が知られている（特許文献１参照）。
又、一度貼ったら貼り直しができない貼替え防止テープ（王子タック株式会社製）が知られている（特許文献２参照）。
【０００３】
チャック付袋は、商品を配送したり、書類等を収容したりする際の包装材として使用されるが、開口部に設けたチャックは、誰でも簡単に開封することができるようになっている。
しかしながら、チャック付袋を使用した場合でも、商品によっては配送が終わるまで、又、書類等にあっては必要な時期までは確かに開封されていないことの確認を求められることがある。
このような要望に対し、チャック付袋の開口部を閉封した状態で貼替え防止テープを貼り付けておけば、この貼替え防止テープは貼り直しができないため、この貼替え防止テープを見れば開封したか否かが判る。
これにより商品の信頼性を確保できるし、書類等の機密性を確保できるようになる。
【０００４】
このようにチャック付袋の開口部に貼替え防止テープを貼る場合、従来では、チャック付袋と貼替え防止テープを別々に買い揃えるといった手間がかかるし、特に、従来の貼替え防止テープは、ロール状に巻き取られた長尺テープであるため、少しの長さで足りる場合でも１巻分を購入しなければならず、費用負担が嵩んでしまうし、また、使用に際し必要な長さに切断しなければならないといった煩雑さがあった。
【特許文献１】実用新案登録第３０２６４７８号
【特許文献２】特許公開２００１−２４０８５２５号
【発明の開示】
【発明が解決しようとする課題】
【０００５】
本発明は、上記のような問題を解決するためになされたもので、貼替え防止ラベルをあらかじめチャック付袋に組み合わせて商品化することにより、チャック付袋と貼替え防止テープを別々に買い揃えるといった手間をなくし、また、テープではなく、予め所定の長さに形成したラベルにすることで、１巻分を購入する場合に比べて費用負担を軽減させ、かつ使用に際しての切断作業を省略できるようにしたチャック付袋を提供することを課題としている。
【課題を解決するための手段】
【０００６】
上記の課題を解決するために、本発明（請求項１）のチャック付袋は、
開口部に雌雄咬合型のチャックが設けられている合成樹脂製袋体と、この合成樹脂製袋体に収容された貼替え防止ラベルとの組み合わせで形成され、
前記貼替え防止ラベルが、その展延状態で合成樹脂製袋体の内部に納まる長さに形成されていることを特徴とするチャック付袋。
【０００７】
又、本発明（請求項２）のチャック付袋は、請求項１記載のチャック付袋において、前記雌雄咬合型のチャックに開閉用スライダーが設けられている構成とした。
【０００８】
又、本発明（請求項３）のチャック付袋は、請求項１又は２記載のチャック付袋において、合成樹脂製袋体の内部に緩衝シート材が収容されている構成とした。
【０００９】
又、本発明（請求項４）のチャック付袋は、請求項１又は２記載のチャック付袋において、合成樹脂製袋体の内部に板紙が収容されている構成とした。
【００１０】
又、本発明（請求項５）のチャック付袋は、請求項３又は４記載のチャック付袋において、前記緩衝シート材又は板紙が帯電防止処理されている構成とした。
【００１１】
又、本発明（請求項６）のチャック付袋は、請求項３又は４又は５記載のチャック付袋において、合成樹脂製袋体の底縁全幅に亘って形成した底口から前記緩衝シート材又は板紙を収容した状態で、前記底口が溶着シールによって閉鎖されている構成とした。
【発明の効果】
【００１２】
本発明のチャック付袋（請求項１）は、貼替え防止ラベルをあらかじめ組み合わせているため、従来と異なり、チャック付袋と貼替え防止テープを別々に買い揃えるといった手間をなくすことができる。
又、貼替え防止テープではなく、予め所定の長さに形成した貼替え防止ラベルにしたので費用負担を軽減させることができるし、使用に際し切断作業を省略できるので貼り付け作業を簡単にすることができる。
そして、貼替え防止ラベルをチャック付袋の開口部に貼り付けておけば、この貼替え防止ラベルは貼り直しができないため、開封したか否かを目で見るだけで判断することができ、よって、被収容物（商品や書類等）の信頼性を確保し、機密性を確保することができる。
【００１３】
又、チャックに開閉用スライダーを設けると（請求項２）、チャックの開閉作業を楽に行うことができる。
【００１４】
合成樹脂製袋体の内部に緩衝シート材を収容させると（請求項３）、被収容物への衝撃を緩和することができるし、合成樹脂製袋体が被収容物によって傷付けられるのを防止できる。
【００１５】
合成樹脂製袋体の内部に板紙を収容させた場合（請求項４）、この板紙が書類等を収容したときの台紙として機能するため、書類等の皺や折れを防止することができる。
【００１６】
又、前記緩衝シート材又は板紙を帯電防止処理させると（請求項５）、静電気によって悪影響を受けやすい商品、例えば、電子部品等の収容に好適に使用できる。
【００１７】
また、前記開口部はチャックを設けている関係で、構造上その開口幅が合成樹脂製袋体の幅よりも狭くなっている。このため、前記緩衝シート材又は板紙を合成樹脂製袋体の内部に収容する場合、開口部から入れようとしても、上述のように開口幅が狭いため入れにくく、特に、板紙の場合には、折れたり、傷付けたりしてしまうといった問題がある。
そこで、合成樹脂製袋体の底縁全幅に亘って開口しておき、緩衝シート材又は板紙を収容したのち溶着シールによって閉鎖させると（請求項６）、緩衝シート材又は板紙を折ったりすることなく、容易に合成樹脂製袋体の内部に収容することができる。
【発明を実施するための最良の形態】
【００１８】
図１は本発明のチャック付袋の第１実施例を示す一部切欠斜視図、図２はチャック付袋の断面図、図３は貼替え防止ラベルの斜視図、図４はチャック付袋の使用状態を示す一部切欠斜視図である。
【００１９】
本実施例のチャック付袋１は、合成樹脂製袋体（ポリエチレン袋体）２と、貼替え防止ラベル３との組み合わせで形成されている。
即ち、合成樹脂製袋体２の内部に貼替え防止ラベル３を収容した状態で、包装資材として市販に供されるものである。
【００２０】
前記合成樹脂製袋体２は、雄側チャックと雌側チャックを対向させた雌雄咬合型のチャック２０が開口部２１に設けられ、この実施例では開口部２１に開閉用スライダー２２が設けられている。
なお、開閉用スライダー２２は、必ずしも設ける必要はないが、チャック２０の開閉作業を楽に行うようにするためには、この開閉用スライダー２２を設けるのが好ましい。
又、この合成樹脂製袋体２の材質、サイズは任意に決定できるし、チャック２０の条数も１条でも２条でもよく、又、チャック２０の雄雌嵌合構造も限定されない。
【００２１】
前記貼替え防止ラベル３は、図３に示すように、ポリオレフィン等による薄膜シート３０の上面に再接着不能な弱接着剤層３１を介して剥離表紙３２が設けられ、薄膜シート３０の下面に強接着剤層３３を介して剥離裏紙３４が設けられたもので、その展延状態で合成樹脂製袋体２の内部に納まる長さに形成されている。
又、前記薄膜シート３０の上面には、「開封済」等の文字が印刷され、前記剥離表紙３２の表面には「再接着不能」等の文字が印刷されている。
なお、弱接着剤層３１と強接着剤層３３で言う強弱は、両者間の相対的な強弱を言う。
【００２２】
使用に際しては、合成樹脂製袋体２から貼替え防止ラベル３を取り出し、その合成樹脂製袋体２の内部に開口部２１から被収容物Ｓ（図示例では書類）を収容する。
そして、開閉用スライダー２２によって開口部２１を閉封させ、図４に示すように、閉封位置にある開閉用スライダー２２を覆う状態に貼替え防止ラベル３を貼り付けて封緘するものである。
この際、剥離表紙３２はそのままにして剥離裏紙３４のみを剥がし、露出した強接着剤層３３で貼り付けるものである。
【００２３】
従って、収容した被収容物Ｓを取り出すには、チャック２０を開封させる必要があり、そのためには貼替え防止ラベル３を剥ぎ取る必要がある。
そこで、この貼替え防止ラベル３を剥ぎ取ろうとすると、弱接着剤層３１で接着された剥離表紙３２が剥がれてしまう。そして、この剥離表紙３２は一度剥がすと再接着不能であるため、開口部２１には薄膜シート３０のみが貼り付いた状態になり、これを見れば誰かがチャック２０を開封させようとしたことが判る。なお、薄膜シート３０が破れているときには、チャック２０が開封されてしまったものと推測でき、必要な措置を講じることができる。
【００２４】
次に、図５は本発明のチャック付袋の第２実施例を示す一部切欠斜視図である。
このチャック付袋は、合成樹脂製袋体２の内部に予め緩衝シート材４としての発泡ウレタンシートが収容されたもので、合成樹脂製袋体２と、貼替え防止ラベル３と、緩衝シート材４の組み合わせになっている。
この場合、発泡ウレタンシートによる緩衝シート材４を２つ折りして、その折返し部４０が底側になるように収容することで、被収容物Ｓを包み込むことができるようにしている。
又、この図示例では、貼替え防止ラベル３の長手方向をチャック２０の長手方向にして、閉封位置にある開閉用スライダー２２及びチャック２０を覆う状態で貼替え防止ラベル３を貼り付けて封緘している。
なお、緩衝シート材４としては、エアキャップシートや不織布等を用いることができる。
【００２５】
次に、図６は本発明のチャック付袋の第３実施例を示す一部切欠斜視図である。
このチャック付袋１は、合成樹脂製袋体２の底縁を全幅に亘って底口２３を開口しておき、その底口２３から板紙５を収容したのち底口２３を溶着シール２４によって閉鎖したものである。
この場合、前記板紙５は、合成樹脂製袋体２に収容したときに、できるだけ左右の隙間が生じないような幅Ｌ１に形成され、この板紙５が合成樹脂製袋体２の内部でズレ動くのを抑制している。
【００２６】
合成樹脂製袋体２の開口部２１は、チャック２０の両端部に閉鎖部２５，２５が形成されると共に、チャック２０に設けた開閉用スライダー２２によって、その開口幅Ｌ２が合成樹脂製袋体２の幅よりも狭くなっている。
このため、板紙５を開口部２１から入れようとしても、開口幅Ｌ２が板紙５の幅Ｌ１より狭いため（幅Ｌ１＞開口幅Ｌ２）入れにくく、板紙５が折れたり、傷付けたりしてしまう。
そこで、合成樹脂製袋体２の底縁に全幅に亘って開口した底口２３を形成しておき、板紙５を収容したのち底口２３を溶着シール２４によって閉鎖させれば、板紙５を容易に合成樹脂製袋体２の内部に収容することができる。
なお、合成樹脂製袋体２の内部に板紙５を収容させると、被収容物を書類とした場合、板紙５が台紙として機能するため、書類等の皺や折れを防止することができる。
【００２７】
なお、本発明において、緩衝シート材又は板紙を帯電防止処理させることができるもので、この場合には静電気によって悪影響を受けやすい商品、例えば、電子部品等の収容に好適に使用できる。
【００２８】
又、本発明のチャック付袋に収容する被収容物としては、サンプル品、小物、保証書類、保障書類、雑誌、通販商品、健康食品、われもの、貴金属、カメラ、時計、パソコン、電器用品、デジカメ、電子部品、パーツ部品、証券、株券、保管書類等々があり、これらの配送用又は保管用としての用途が考えられる。
【００２９】
また、貼替え防止ラベルの封緘位置は、要はチャックが開放できないような位置に貼り付ければよく、前記した例以外に、例えば図７で示すように、開閉用スライダー２２に近接した位置で、チャック２０を跨ぐ状態に貼替え防止ラベル３を貼り付けて封緘するようにしてもよい。
又、チャックの全長に亘って貼替え防止ラベルを貼り付けて封緘してもよい。
【図面の簡単な説明】
【００３０】
【図１】本発明のチャック付袋の第１実施例を示す一部切欠斜視図。
【図２】チャック付袋の断面図。
【図３】貼替え防止ラベルの斜視図。
【図４】チャック付袋の使用状態を示す一部切欠斜視図。
【図５】本発明のチャック付袋の第２実施例を示す一部切欠斜視図。
【図６】本発明のチャック付袋の第３実施例を示す一部切欠斜視図。
【図７】貼替え防止ラベルによる封緘位置の例を示す部分斜視図。
【符号の説明】
【００３１】
１  チャック付袋
２  合成樹脂製袋体
２０  チャック
２１  開口部
２２  開閉用スライダー
２３  底口
２４  溶着シール
２５  閉鎖部
３  貼替え防止ラベル
３０  薄膜シート
３１  弱接着剤層
３２  剥離表紙
３３  強接着剤層
３４  剥離裏紙
４  緩衝シート材
４０  折返し部
５  板紙
Ｌ１  幅
Ｌ２  開口幅
Ｓ  被収容物
【図１】
2007261668.tif 000003
【図２】
2007261668.tif 000004
【図３】
2007261668.tif 000005
【図４】
2007261668.tif 000006
【図５】
2007261668.tif 000007
【図６】
2007261668.tif 000008
【図７】
2007261668.tif 000009